(57)【要約】【課題】部材の作り置きが可能であり、メーカー側もしくはユーザの簡単な追加加工で簡便にサイズ調製が可能な質感の高い建具ドアキットを安価に提供すること。【解決手段】  上桟４および下桟５は、左右の端面に所定深さのダボ穴２３が設けられた部材であり、竪框２および３は、見込長手方向中央を削りとり広溝２１とともに両端に凸条２２が形成され、広溝２１部分には長手方向にダボ穴２３が複数設けられた部材であり、額縁体１１および１２は、二つ割りの部材であって、合わさったときに広溝２１に勘合して一定深さまで埋入し、かつ、合わさったときに鏡板８の左辺または右辺をくわえ込む細溝４３が形成される部材であり、サイズ決定またはサイズ変更の自由度を高めたことを特徴とする建具ドアキット。【選択図】図１
2009114682.tif 000002
【特許請求の範囲】
【請求項１】
上桟および下桟と、左右の竪框と、鏡板と、二組の鏡板保持用額縁体と、を含む建具ドアキットであって、
上桟および下桟は、左右の端面に所定深さのダボ穴が設けられた部材であり、
左右の竪框は、互いに向かい合う見込の長手方向中央を削りとり広溝とともに両端に凸条が形成され、かつ、上下の広溝部分には長手方向にダボ孔が複数設けられた部材であり、
鏡板保持用額縁体は、二つ割りの部材であって、合わさったときに広溝に勘合して一定深さまで埋入し、かつ、合わさったときに鏡板の左辺または右辺をくわえ込む細溝が形成される部材であり、
上桟および下桟の長さ、および／または、左右の竪框の長さ、および／または、二組の鏡板保持用額縁体の長さを詰めることにより、サイズ決定またはサイズ変更の自由度を高めたことを特徴とする建具ドアキット。
【請求項２】
上桟、下桟、および、左右の竪框の厚みが同一であり、広溝の溝深さの厚みをもち前記ダボ穴と同一のピッチで同一径のダボ挿入用の孔が形成されたスペーサを更に含んだことを特徴とする請求項１に記載の建具ドアキット。
【請求項３】
鏡板の幅を、上桟または下桟の長さ以上、当該長さに広溝の溝深さを加えた長さ以下としたことを特徴とする請求項１または２に記載の建具ドアキット。
【請求項４】
鏡板を二枚の透明部材として、写真、ポスター、押し花、その他の薄膜体を挟持可能としたことを特徴とする請求項１，２または３に記載の建具ドアキット。
【発明の詳細な説明】
【技術分野】
【０００１】
本発明は、作り置きまたはセミオーダに簡便に対応可能な建具ドアキットに関する。
【背景技術】
【０００２】
近年、情報や流通の発達に伴い、自作やこだわりが脚光を浴びる中、日曜大工の域を超え、いわばセミプロ大工とでもいえる人が増えてきている。これらの人は、家や家具を自分の趣味感に合わせ、独自に設計、制作、修理、加工、改変したりしている。
【０００３】
特に、ドアは、出入口であるため最も目につき、かつ、最も利用される建具である。従って、従来から、そのサイズ、素材、取手、デザインなど様々なものが用意されている。
【０００４】
【特許文献１】特開平９−０８８４４３号公報
【特許文献２】特開平１０−２３１６６５号公報
【特許文献３】特開２００４−１３２０７２号公報
【発明の開示】
【発明が解決しようとする課題】
【０００５】
しかしながら、従来の技術では以下の問題点があった。
ドアは、上述のように、頻繁に利用され、また、部屋と部屋を仕切るものであるため、重厚さないし高級感が要求される。また、ガラスを中に埋め込む場合もあり、強度等も要求される。従って、たとえばフラッシュパネルといった中空構造のドアは、好まれず、中実の板材が使用される。
【０００６】
ここで、框や桟を形成するほどの大型部材に縁をつけたり、凸条、凹条（溝）を形成したりするのは専用工具や専用機器が必要でありセミプロといえども困難であるという問題点があった。同様に、鏡板を埋め込むのも労力のかかる作業であるという問題点があった。
【０００７】
更に、自分の趣味感に合わせてドア部分の間口や高さを決めた場合や各部材の見込みの幅を決定した場合には、上記の関係からドアをフルオーダせざるを得ず、自作の満足感が得られないという問題点があった。
【０００８】
すなわち、従来では、建具ドアに関しては、既製品のサイズに合わせるか、フルオーダするしかないという問題点があった。
【０００９】
一方建具メーカーにとっても、フルオーダは単価が高いものの、それゆえ数がでず、かえって、製造ライン調整が必要となり、場合によっては要求される納期が短く、注文に応じることができない場合があるという問題点があった。
【００１０】
本発明は上記に鑑みてなされたものであって、部材の作り置きが可能であり、メーカー側もしくはユーザ側の簡単な追加加工で簡便にサイズ調製が可能な質感の高い建具ドアキットを安価に提供することを目的とする。
【課題を解決するための手段】
【００１１】
上記の目的を達成するために、請求項１に記載の建具ドアキットは、上桟および下桟と、左右の竪框と、鏡板と、二組の鏡板保持用額縁体と、を含む建具ドアキットであって、上桟および下桟が、左右の端面に所定深さのダボ穴が設けられた部材であり、左右の竪框が、互いに向かい合う見込の長手方向中央を削りとり広溝とともに両端に凸条が形成され、かつ、上下の広溝部分には長手方向にダボ穴が複数設けられた部材であり、鏡板保持用額縁体が、二つ割りの部材であって、合わさったときに広溝に勘合して一定深さまで埋入し、かつ、合わさったときに鏡板の左辺または右辺をくわえ込む細溝が形成される部材であり、上桟および下桟の長さ、および／または、左右の竪框の長さ、および／または、二組の鏡板保持用額縁体の長さを詰めることにより、サイズ決定またはサイズ変更の自由度を高めたことを特徴とする。
【００１２】
すなわち、請求項１に係る発明は、部材の単純な切断（長さ合わせ）のみで、自分の決定したサイズのドアを簡便に組み立てることが可能となる。
【００１３】
なお、上桟下桟の所定深さのダボ穴は、上桟下桟を所定寸法（ユーザが決定した寸法）までカットしても残存するようなある程度の深さがあるものとする。なお、カットした後もダボ穴深さが深い場合には適宜目詰めすればよい。また、広溝部分の長手方向に設けられるダボ穴の数は、竪框を所定寸法（ユーザが決定した寸法）までにカットしても、少なくとも一つ、好ましくは２つ以上残る程度の数とする。また、一定深さまで埋入とは、竪框からはみ出て段差（すなわち額縁部分）が形成される態様のほか、鏡板保持用額縁体全体が埋入する場合も含まれるものとする。なお、本願にいう鏡板とは、板状のものであればよく、必ずしも素材が木に限定されるものでなく、ガラスや樹脂なども含まれるものとする。
【００１４】
また、請求項２に記載の建具ドアキットは、請求項１に記載の建具ドアキットにおいて、上桟、下桟、および、左右の竪框の厚みが同一であり、広溝の溝深さの厚みをもち前記ダボ穴と同一のピッチで同一径のダボ挿入用の孔が形成されたスペーサを更に含んだことを特徴とする。
【００１５】
すなわち、請求項２に係る発明は、一枚板を切り出すだけで四辺を形成する枠辺が形成され、別途上桟下桟を広溝に勘合させるべく段差加工等が不要となり、スペーサを介して強固な接合が実現できる。また、四辺が同じ厚みであり、上桟下桟部分に窪み空間が形成されないので、防音性にも優れたドアを提供できる。
【００１６】
また、請求項３に記載の建具ドアキットは、請求項１または２に記載の建具ドアキットにおいて、鏡板の幅を、上桟または下桟の長さ以上、当該長さに広溝の溝深さを加えた長さ以下としたことを特徴とする。
【００１７】
また、請求項３に係る発明は、鏡板の保持強度を高めるとともに、組み上がった四辺のドア枠を解体することなく二組の鏡板保持用額縁体を分割分離するだけで鏡板を取り替え可能となる。従って、簡便にドアの雰囲気を変更可能となる。
【００１８】
また、請求項４に記載の建具ドアキットは、請求項１，２または３に記載の建具ドアキットにおいて、鏡板を二枚の透明部材として、写真、ポスター、押し花、その他の薄膜体を挟持可能としたことを特徴とする。
【００１９】
すなわち、請求項４に係る発明は、表現力に富み従来にない建具ドアを提供可能となる。なお、透明部材とは、ガラス、透明樹脂、半透明樹脂などを含むものとし、有色透明無色透明を問わない。薄膜体とは、透明部材に挟持される薄いものであれば特に限定されるものではない。
【発明の効果】
【００２０】
本発明によれば、部材の作り置きが可能であり、メーカー側もしくはユーザの簡単な追加加工で簡便にサイズ調製が可能な質感の高い建具ドアキットを安価に提供可能となる。また、鏡板の保持強度を高めるとともに容易に鏡板を変更可能な建具ドアを提供可能となる。
【発明を実施するための最良の形態】
【００２１】
以下、本発明の実施の形態を図面を参照しながら詳細に説明する。
図１は、本発明の建具ドアキットを組み立てた後の外観斜視図である。図２は、ドアの角の部分の組立ての様子を示した部分概要図である。図３は、ドアの角部分の接合の様子を示した平面図である。図４は、額縁体を含めた竪框を上方からみた断面図である。
【００２２】
ドア１は、左竪框２、右竪框３、上桟４、下桟５、中桟６、縦桟７、鏡板８〜鏡板１０、額縁体１１〜額縁体１６、ダボ１７、スペーサ１８により構成される。ドア１は、左竪框２または右竪框３に蝶番を取付け開きドアにするが、蝶番およびその反対側に設けられる取手部分については、図示を省略している。ドア１は、これらの部材を予め作り置き、組立ての際、業者側もしくはユーザ側で追加の簡便な切断工程を経るだけで自在にサイズを調製できる点に特徴がある。
【００２３】
左竪框２および右竪框３は、見込部分の中央部分に長手方向に凹条である広溝２１を設けている。広溝２１からみると、見込部分の長手方向に左右に凸条２２が形成された形状となっている。左竪框２および右竪框３には、更に、広溝２１部分の上下端に縦（長手方向）に一列にダボ穴２３を複数設けている。図２に示したように、上桟４と左竪框２とは３本のダボ１７により接合されるが、ダボ穴２３は、上下に１０〜１５程度あけておく。これは、ユーザが決めたサイズ（ユーザが指定したサイズ）に上下を切断してもダボ穴２３が残るようにしておくためである。また、上桟、下桟の見付の縦幅が広く、４本のダボや５本のダボで接合する場合にも対応可能なようにしておくためである。
【００２４】
上桟４、下桟５、および、中桟に６は、端面にダボ穴２３が設けてありダボ１７を差し込めるようになっている。これらは、ユーザが決めたサイズ（ユーザが指定したサイズ）に左右を切断しても穴が確保されるようにするため、ダボ穴２３は、１０ｃｍ〜１５ｃｍ程度の深さにあけておく。
【００２５】
スペーサ１８は、広溝２１の溝深さ（凸条２２の高さ）と同じ厚みをもつ補助部材である。スペーサ１８には、ダボ穴２３と同一ピッチかつダボ１７と同一の径の孔３１が長手方向に設けられており、ダボ穴２３と孔３１が重なるように形成されている。上桟４と左竪框２をつき合わせたとき、単につき合わせただけであると、凸条２２のみでしか接触しないため接合強度が確保できない。よって、スペーサ１８により接合強度を確保するようにしている。
【００２６】
なお、左竪框２、右竪框３、上桟４、下桟５、中桟６、および、縦桟７は、すべて同じ厚みとしている。これは、框および桟はツラが揃うほうがドアの質感が高まるためである。加えて、上桟４や下桟５の厚みが框より薄い場合には、ドア１周囲に設けられる縁（壁、天井、床に設けられる縁）との間に空間ができ、ドアを閉じたときに大きな音が生じてしまい、また、場合によっては防音性および気密性が悪くなってしまい、更に、長期間の使用により鏡板がずれやすくなってしまう場合がある。よって、これらを防止する点からも同じ厚みとすることが好ましい。
【００２７】
額縁体１１〜１６は、角柱体４１とＬ字体４２との二つ割りの部材から構成され、合わせたときに、鏡板８〜鏡板１０の左辺または右辺をくわえ込む細溝４３を形成しつつ広溝２１に勘合する部材である。額縁体（たとえば額縁体１１）が、分離可能であるので、枠、すなわち、左竪框２、右竪框３、上桟４、下桟５等を分離することなく、鏡板（たとえば鏡板８）を容易に脱着可能となる。ここで、額縁体１１および額縁体１２は、左右の広溝２１にそれぞれ埋め込むため、少なくとも、片方の溝深さの長さ分だけ、鏡板の幅を上桟４の横幅より大きくすることができる。
【００２８】
すなわち、細溝４３は、凸条２２の凸端より深く広溝２１側へ切り込ませることができ、鏡板８を実質的に左竪框２に埋入させることができる。これにより、鏡板８の保持性が高まることとなる。なお、額縁体の広溝２１への固定は、ビス留め等汎用技術を適宜採用できる。なお、広溝２１の溝深さがある程度ある場合にあっては、単にはめ込むだけで強固な接合を実現できる。
【００２９】
鏡板８〜鏡板１０は、一枚板であり、木目を生かしたものなど、種々採用ができる。額縁体１１〜１６が、二つ割りの部材であり、全体を分解しなくとも額縁体のみの取り外しで鏡板を容易に交換でき作業性に優れる。なお、使用の態様によっては、透明の強化ガラス２枚を重ねて細溝４３に挿入し、写真や切り抜き、押し花などの薄いものをガラスの間に挿入してもよい。このようにすれば趣味感を反映でき、オリジナルのドアを提供できる。
【００３０】
なお、縦桟７に関しては、左右の見込部分に広溝２１を形成し、上記の技術を用いて鏡板９および鏡板１０を装着できる。
【００３１】
ドア１は、上記の構成としているので、それぞれの部材を予め作りおくことができる。納品または組立ての際には、各構成部をユーザが決定した長さに切断するだけでよい。このとき、基本的に、柱状の部材または板状の部材をまっすぐ切断するだけでサイズ合わせが可能となり、簡便な追加切断のみでセミオーダが可能になるという優れたメリットを有する。すなわち、業者側からすれば、ワンメイクで時間がとられることがなく、予め部材の作り置きが可能であり、生産計画が狂わず、また、安価なドアないしドアキットを提供できる。
【００３２】
また、日曜大工レベルのユーザへは、追加加工および組立て加工をして製品として出荷でき、セミプロのユーザには、その自作意欲を満たすべく、作りおいた部材そのものを出荷すればよい。このように、追加加工部分のみに選択肢を残しておくだけで、納期も短縮でき、安価、かつ、高級感も演出でき、ユーザの趣味感も容易に反映させ、また顧客満足度も充実させることのできるドアを提供可能となる。
【００３３】
なお、以上の例は、板の厚みを同じとしたが、使用の態様によっては、上桟４、下桟５、および、中桟６の厚みを左竪框２および右竪框３の厚みより薄く削って、広溝２１内に嵌合するようにして接合させてもよい。
【産業上の利用可能性】
【００３４】
本発明によれば、同種の構造をとるスライドドアにも適用が可能である。また、サイズ変更が可能であるので、リサイクルにも適する。
【図面の簡単な説明】
【００３５】
【図１】本発明の建具ドアキットを組み立てた後の外観斜視図である。
【図２】ドアの角の部分の組立ての様子を示した部分概要図である。
【図３】ドアの角部分の接合の様子を示した平面図である。
【図４】額縁体を含めた竪框を上方からみた断面図である。
【符号の説明】
【００３６】
１     ドア
２     左竪框
３     右竪框
４     上桟
５     下桟
６     中桟
７     縦桟
８，９，１０  鏡板
１１，１２，１３，１４，１５，１６ 額縁体
１７   ダボ
１８   スペーサ
２１   広溝
２２   凸条
２３   ダボ穴
３１   孔
４１   角柱体
４２   Ｌ字体
４３   細溝
【図１】
2009114682.tif 000003
【図２】
2009114682.tif 000004
【図３】
2009114682.tif 000005
【図４】
2009114682.tif 000006